(57)【要約】【課題】ノイズを確実に検出することのできるエンコーダ異常検出装置及びエンコーダ異常検出装置を用いたエレベータ装置を提供する。【解決手段】回転体の回転によって、プラス及びマイナスの両電圧極性を有し、又は一定のオフセットを有し、かつ互いに９０度の位相差を有する正弦波、及び余弦波の２相信号を出力する正弦波エンコーダ４の異常を検出するエンコーダ異常検出装置において、正弦波エンコーダ４が出力する正弦波をｘ軸上、余弦波をｙ軸上にベクトル値としてプロットする変換部と、ベクトル値が径方向において閾値を逸脱したとき、及びベクトル値が周方向において閾値を逸脱したときの少なくとも一方で異常と判断する比較部とを備えた。【選択図】図２
2014240817.tif 000002
【特許請求の範囲】
【請求項１】
回転体の回転によって、プラス及びマイナスの両電圧極性を有し、又は一定のオフセットを有し、かつ互いに９０度の位相差を有する正弦波及び余弦波の２相信号を出力する正弦波エンコーダの異常を検出するエンコーダ異常検出装置において、
前記正弦波エンコーダが出力する前記正弦波をｘ軸上、前記余弦波をｙ軸上にベクトル値としてプロットする変換部と、前記ベクトル値が径方向において閾値を逸脱したとき、及び前記ベクトル値が周方向において閾値を逸脱したときの少なくとも一方で異常と判断する比較部とを備えたことを特徴とするエンコーダ異常検出装置。
【請求項２】
電源に接続され、複数のスイッチング素子で構成されるインバータと、このインバータに接続される巻上機のモータと、このモータの回転によって、プラス及びマイナスの両電圧極性を有し、又は一定のオフセットを有し、かつ互いに９０度の位相差を有する正弦波及び余弦波の２相信号を出力する正弦波エンコーダと、前記インバータ及び前記正弦波エンコーダに接続されて前記インバータを介して前記巻上機を制御すると共に、前記正弦波エンコーダの異常を検出するエンコーダ異常検出装置を構成した制御装置と、前記モータによって駆動される前記巻上機のシーブに巻き掛けられたロープを介して昇降するかご及びつり合いおもりと、前記シーブを制動する制動装置とを備えたエレベータ装置において、
前記制御装置に構成した前記エンコーダ異常検出装置は、前記正弦波エンコーダが出力する前記正弦波をｘ軸上、前記余弦波をｙ軸上にベクトル値としてプロットする変換部と、前記ベクトル値が径方向において閾値を逸脱したとき、及び前記ベクトル値が周方向において閾値を逸脱したときの少なくとも一方で異常と判断する比較部とを備えたことを特徴とするエンコーダ異常検出装置を用いたエレベータ装置。
【請求項３】
前記制御装置は、前記制動装置が作動した状態で前記インバータに調査電流導通を行い、前記正弦波エンコーダの異常の有無を判断してエレベータ起動補償制御を行うことを特徴とする請求項２に記載のエンコーダ異常検出装置を用いたエレベータ装置。
【請求項４】
前記制御装置は、前記制動装置が作動した状態で前記インバータに調査電流導通を行い、前記正弦波エンコーダの異常の有無を判断すると共に、調査電流指令とモータ電流検出値を比較し、前記モータ、及び前記インバータの異常の有無を判断してエレベータ起動補償制御を行うことを特徴とする請求項２に記載のエンコーダ異常検出装置を用いたエレベータ装置。
【発明の詳細な説明】
【技術分野】
【０００１】
本発明は、エンコーダの異常を検出するエンコーダ異常検出装置及びエンコーダ異常検出装置を用いたエレベータ装置に関する。
【背景技術】
【０００２】
電動機等の位置、速度を制御するときに用いられる正弦波エンコーダの異常を検出する異常検出装置として、被異常検出の対象物からの出力である正弦波の第１の信号及び該第１の信号に対してπ／２の位相差の対象物からの出力である第２の信号を発生するエンコーダと、該エンコーダから第１及び第２の各信号をデジタル信号に変換するＡ／Ｄ変換手段と、該Ａ／Ｄ変換手段の第１及び第２の各デジタル信号値を二乗してこの二乗値の和を演算する演算手段とを備え、演算手段の演算結果が正の正数１近くのエンコーダ、Ａ／Ｄ変換手段の各精度によって生じる誤差の範囲から外れた場合にエンコーダの異常を検出するものが知られている（特許文献１参照）。
【先行技術文献】
【特許文献】
【０００３】
【特許文献１】特開平１−８０８１７号公報
【発明の概要】
【発明が解決しようとする課題】
【０００４】
ところで、エンコーダは、例えばエレベータ装置に適用され、巻上機のモータの回転速度の検出・制御を目的として取付けられている。すなわちエンコーダにより実速度検出を行い、電流指令との差分を巻上機のモータの出力するトルク指令に換算し、インバータの出力電流・電圧を制御する。しかし、このようにインバータと併設されるエンコーダにあっては、インバータノイズの影響を受け、その出力電圧にノイズが印加される傾向がある。そして、エンコーダの出力電圧にノイズが印加されると、エンコーダの出力信号に基づく機器制御にも影響があることから、ノイズを正確に検出することが望まれる。しかしながら、前述したものでは、エンコーダが出力する正弦波の２信号に基づき異常を検出するものであるが、これらの２信号にノイズが重複する状態までは判断することができないという課題があった。
【０００５】
すなわちノイズが、例えばθａで正弦波、及び余弦波に印加されても、これらのノイズが印加された信号値の二乗の和を演算したとき、正の正数１に近い範囲から外れない場合、例えばθｎにおける値とみなしてしまい、ノイズを検出することができなかった。
【０００６】
本発明は、前述した従来技術における実状からなされたもので、その目的は、ノイズ重複を確実に検出することのできるエンコーダ異常検出装置及びエンコーダ異常検出装置を用いたエレベータ装置を提供することにある。
【課題を解決するための手段】
【０００７】
本発明は前記目的を達成するために、回転体の回転によって、プラス及びマイナスの両電圧極性を有し、又は一定のオフセットを有し、かつ互いに９０度の位相差を有する正弦波及び余弦波の２相信号を出力する正弦波エンコーダの異常を検出するエンコーダ異常検出装置において、前記正弦波エンコーダが出力する前記正弦波をｘ軸上、前記余弦波をｙ軸上にベクトル値としてプロットする変換部と、前記ベクトル値が径方向において閾値を逸脱したとき、及び前記ベクトル値が周方向において閾値を逸脱したときの少なくとも一方で異常と判断する比較部とを備えたことを特徴とする。
【０００８】
このような構成によれば、正弦波エンコーダの出力信号に印加されるノイズ重複を確実に検出することができ、これによって、装置の信頼性、及び安全性の向上を図ることができる。
【０００９】
また本発明は、電源に接続され、複数のスイッチング素子で構成されるインバータと、このインバータに接続される巻上機のモータと、このモータの回転によって、プラス及びマイナスの両電圧極性を有し、又は一定のオフセットを有し、かつ互いに９０度の位相差を有する正弦波及び余弦波の２相信号を出力する正弦波エンコーダと、前記インバータ及び前記正弦波エンコーダに接続されて前記インバータを介して前記巻上機を制御すると共に、前記正弦波エンコーダの異常を検出するエンコーダ異常検出装置を構成した制御装置と、前記モータによって駆動される前記巻上機のシーブに巻き掛けられたロープを介して昇降するかご及びつり合いおもりと、前記シーブを制動する制動装置とを備えたエンコーダ異常検出装置を用いたエレベータ装置において、前記制御装置に構成したエンコーダ異常検出装置は、前記正弦波エンコーダが出力する前記正弦波をｘ軸上、前記余弦波をｙ軸上にベクトル値としてプロットする変換部と、前記ベクトル値が径方向において閾値を逸脱したとき、及び前記ベクトル値が周方向において閾値を逸脱したときの少なくとも一方で異常と判断する比較部とを備えたエンコーダ異常検出装置を有したことを特徴とする。
【００１０】
このような構成によれば、巻上機を制御する制御装置に構成したエンコーダ異常検出装置によって、正弦波エンコーダの出力信号に印加されるノイズ重複を確実に検出することができ、これによって、エレベータ装置の信頼性、及び安全性の向上を図ることができる。
【００１１】
また本発明は、上述の構成に加えて、前記制御装置は、前記制動装置が作動した状態で前記インバータに調査電流導通を行い、前記正弦波エンコーダの異常の有無を判断してエレベータ起動補償制御を行うことを特徴とする。
【００１２】
このような構成によれば、一般にエレベータの起動補償制御は、かご下に配置される荷重検出センサの荷重検出値に基づいて行っているが、荷重検出センサは、かご下の防振ゴムが積載量に応じた撓み量に応じて荷重検出値を出力するものであり、使用環境で防振ゴムの撓み量が変化し、正確な荷重検出が行うことが難しく、ひいては的確なエレベータの起動補償制御も困難であった。しかし、荷重検出センサに代わるものとして、正弦波エンコーダの出力信号に基づきエレベータの起動補償制御を行うことにより、正弦波エンコーダの出力信号に印加されるノイズ重複を確実に検出することができ、これによって、エレベータ装置の信頼性、及び安全性の向上を図りながら的確な起動補償を実現することができる。
【００１３】
さらに本発明は、上述の構成に加えて、前記制御装置は、前記制動装置が作動した状態で前記インバータに調査電流導通を行い、前記正弦波エンコーダの異常の有無を判断すると共に、調査電流指令とモータ電流検出値を比較し、前記モータ、及び前記インバータの異常の有無を判断してエレベータ起動補償制御を行うことを特徴とする。
【００１４】
このような構成によれば、インバータに微小電流を流す調査電流導通時に、正弦波エンコーダの状態確認に留まらず、モータ、及びインバータの状態確認をまとめて行うことができ、制御のプロセスを低減し、応答性の高いエレベータ装置とすることができる。
【発明の効果】
【００１５】
本発明のエンコーダ異常検出装置によれば、正弦波エンコーダの出力信号に印加されるノイズ重複を確実に検出することができ、これによって、装置の信頼性、及び安全性の向上を図ることができる。
【００１６】
また本発明のエンコーダ異常検出装置を用いたエレベータ装置によれば、巻上機を制御する制御装置に構成したエンコーダ異常検出装置によって、正弦波エンコーダの出力信号に印加されるノイズ重複を確実に検出することができ、これによって、エレベータ装置の信頼性、及び安全性の向上を図ることができる。
【図面の簡単な説明】
【００１７】
【図１】本発明の一実施の形態によるエンコーダ異常検出装置及びそれを用いたエレベータ装置を示す概略構成図である。
【図２】図１に示した正弦波エンコーダの出力信号を示す信号波形図である。
【図３】図２に示した正常な正弦波エンコーダの出力信号をｘ軸上、及びｙ軸上にプロットした座標図である。
【図４】図１に示した正弦波エンコーダの出力信号にノイズが印加された信号波形図である。
【図５】図４に示したノイズが印加された正弦波エンコーダの出力信号をｘ軸上、及びｙ軸上にプロットした座標図である。
【図６】図１に示したエンコーダ異常検出装置及びエンコーダ異常検出装置を用いたエレベータ装置の処理手順を示すフローチャートである。
【発明を実施するための形態】
【００１８】
以下、本発明の実施の形態を図面に基づいて説明する。
【００１９】
図１は、本発明の一実施の形態によるエンコーダ異常検出装置及びエンコーダ異常検出装置を用いたエレベータ装置を示す概略構成図である。
【００２０】
エレベータ装置は、電源１と、電源１に接続された複数のスイッチング素子２ａで構成されるインバータ２と、インバータ２に接続される巻上機３のモータ３ａと、モータ３ａに取付けられモータ３ａの回転速度の検出・制御を行うための正弦波エンコーダ４と、マイコンが搭載され、インバータ２及び正弦波エンコーダ４に接続されると共に、その入力線に電流検出器５が設けられる制御基板６と、モータ３ａによって駆動される巻上機３のシーブ３ｂと、シーブ３ｂに巻き掛けられたロープ７を介して昇降するかご８及びつり合いおもり９とを備えている。
【００２１】
エレベータ装置では、制御基板６は、正弦波エンコーダ４により実速度検出を行うと共に電流検出器５の出力信号を取込み、検出速度と指令速度とを比較し、その差分から巻上機３のモータ３ａの出力するトルク指令及び電流指令に換算し、その電流指令と電流検出器５の出力信号との比較結果から、インバータ２の出力電流・電圧、つまりスイッチング素子２ａをオン・オフ制御する。
【００２２】
正弦波エンコーダ４は、図２に示すように、プラス、及びマイナスの両電圧極性を有しかつ互いに９０度の位相差を有する正弦波、すなわちＡ相信号、及び余弦波、すなわちＢ相信号の２相信号を出力するものである。また、エンコーダ一回転当たり２０４８Ｃ／Ｔ程度の出力を有するものであり、出力波形は正弦波状に電圧が変化し、この正弦波変化を信号取込回路基板のＡ／Ｄ変換器のビット精度（２の１０乗）で取込むことで、２０４８Ｃ／Ｔの２の１０乗倍の検出精度が得られ、パルス式エンコーダより検出精度は高いものとなる。このような正弦波エンコーダ４を用いて、本エレベータ装置は起動補償をも行うものである。すなわちエレベータ起動時、正弦波エンコーダ４によりモータ３ａの回転角を高精度に検出し、この検出値に基づきモータ３ａのトルク制御を行って、かご８及びつり合いおもり９のアンバランス力を補償し、ブレーキ解放直後の起動振動を低減するようにしている。
【００２３】
さらに、正弦波エンコーダ４の異常を確実に検出するために工夫がされている。具体的には、前述した制御基板６により、正弦波エンコーダ４が出力するＡ相信号をｘ軸上、Ｂ相信号をｙ軸上にベクトル値としてプロットする変換部と、ベクトル値が径方向において閾値を逸脱したとき、及びベクトル値が周方向において閾値を逸脱したときの少なくとも一方で異常と判断する比較部とを構成している。すなわち正弦波エンコーダ４が正常の場合、Ａ相信号及びＢ相信号は、図２に示すような波形となり、これをｘ軸上、ｙ軸上にベクトル値としてプロットとすると、図３に示すような円の軌跡となり、検出したベクトル値が、正常軌跡に誤差を加えた閾値を径方向において逸脱したときに異常と判断する。また、正弦波エンコーダ４が正常の場合、所定状態で検出したベクトル値は周方向において留まるものであるが、これが周方向において誤差を加えた閾値を逸脱したとき、すなわち周方向に閾値を越えて変動したとき異常と判断する。
【００２４】
次に、図６に示したフローチャートを用いて、正弦波エンコーダ４の異常判断を行うエンコーダ異常検出装置およびエンコーダ異常検出装置を用いたエレベータ装置の処理手順を説明する。
【００２５】
手順Ｓ１に示すように、ブレーキが作動してエレベータ装置が待機状態にあるときでも、制御基板６は、手順Ｓ２として、常時、正弦波エンコーダ４の出力信号を監視している。すなわち正弦波エンコーダ４が出力するＡ相信号をｘ軸上、Ｂ相信号をｙ軸上にベクトル値としてプロットし、ベクトル値が径方向において閾値を逸脱したか、また、ベクトル値が周方向において閾値を逸脱したかどうかを判断している。エレベータ装置が待機状態でインバータ２が停止しているときに、正弦波エンコーダ４の出力信号が変動したことを制御基板６で検出された場合、手順Ｓ１２として、エンコーダ回路故障、或いは接続異常と判断し、手順Ｓ１３として、エレベータを停止する。
【００２６】
一方、制御基板６は、ブレーキが作動した状態で正弦波エンコーダ４の出力信号が許容範囲内であった場合、手順Ｓ３として、位相角度データθｘを格納する。この後、手順Ｓ４としてかご呼び、及びホール呼びの一方により駆動可能かを判断し、駆動可能と判断すると、手順Ｓ５として、ブレーキが作動した状態で、インバータ２に微小電流を流す調査電流導通インバータ制御を行う。
【００２７】
これは、インバータ２は、ゼロ電流制御付近においてインバータノイズが発生しやすく、調査には適したものだからである。また、微小電流は、（モータ出力トルク≪ブレーキトルク）となる値に設定されており、調査電流導通でモータは基本的に回転しない。そして、制御基板６は、手順Ｓ６で、正弦波エンコーダ４の出力信号を監視し、異常がないかどうかを判断する。例えば正弦波エンコーダ４が正常の場合、Ａ相信号及びＢ相信号は、図２に示すような波形となる。図２のＡ、Ａ´に示す位相角度θのときのＡ相信号をｘ軸上、Ｂ相信号をｙ軸上にベクトル値としてプロットとすると、図３に示す矢印ａとなる。ベクトル値の径方向の大きさはｘ１2＋ｙ１2の式で求められるものであり、矢印ａの場合はｘ１2＋ｙ１2＝l2となり、正常軌跡に誤差を加えた閾値ｓに合致するものとなる。
【００２８】
一方、例えば図４のＢ、Ｂ´に示すように位相角度θ１のとき正弦波エンコーダ４のＡ相信号にｘ２のノイズ、Ｂ相信号にｙ２のノイズが重複した状態を、Ａ相信号をｘ軸上、Ｂ相信号をｙ軸上にベクトル値としてプロットすると、図５の矢印ｂとなる。ベクトル値の径方向の大きさはｘ２2＋ｙ２2の式で求められるものであり、矢印ｂの場合はｘ２2＋ｙ２2≫l2となり、正常軌跡に誤差を加えた閾値ｓを径方向において超えて逸脱し、異常と判断する。一方、検出したベクトル値がｘ２2＋ｙ２2≪l2となった場合も、すなわちベクトル値が正常軌跡に誤差を加えた閾値ｓに径方向において届かず逸脱した場合も異常と判断する。なお、図４のＢ、Ｂ´に示すようなノイズは、前述した公知のものにおいても検出可能なものである。
【００２９】
ところが、図４のＣ、Ｃ´に示すように、位相角度θ２のとき正弦波エンコーダ４のＡ相信号にｘ３のノイズ、Ｂ相信号にｙ３のノイズが重複した状態であると、前述した公知のものにあっては、信号値の二乗の和を演算したとき、正の正数１に近い範囲から外れない場合、例えば図４のθ３における値とみなしてしまい、ノイズを検出することができなかった。しかし、この状態のＡ相信号をｘ軸上、Ｂ相信号をｙ軸上にベクトル値としてプロットすると、図５の矢印ｃ、矢印ｄとなる。そこで、調査電流導通時の位相角度データθｙを検出し、手順Ｓ３で格納した位相角度データθｘと、この位相角度データθｙを比較する。すなわち手順Ｓ３においてブレーキ作動状態で格納した位相角度データθ２に対し、調査電流導通に応じて検出したものが位相角度データθ３となった場合、θｘ（θ３）−θｙ（θ２）の差を演算し、図５の矢印ｅで示されるこの差分が許容範囲かどうかを見る。すなわちベクトル値が周方向において誤差を加えた閾値を越えて逸脱した場合、インバータノイズが重複している異常と判断する。
【００３０】
また、手順Ｓ６にあっては、ブレーキが作動した状態で、インバータ２に微小電流を流す調査電流導通時に、調査電流指令とモータ電流検出値を比較し、モータ、及びインバータ駆動状態確認も行う。調査電流指令とモータ電流検出値を比較した結果、これらが一致しない場合、例えばスイッチング素子の短絡故障による過電流、オープン故障による電流不足、インバータ制御回路の誤出力による過電流、電流不足、又はモータ地絡による過電流などの可能性があることから異常と判断する。手順Ｓ６で異常と判断されると、手順Ｓ１０に移行し、調査電流導通インバータ制御を停止すると共に、調査トライ回数のカウントアップを行う。
【００３１】
次いで、手順Ｓ１１としてトライ回数が規定値以内かどうかを判断する。これは、エンコーダ信号へのノイズ重複や、インバータ２の動作異常などは一過性であることが多いからである。手順Ｓ１１でトライ回数が規定値に達していないことが判断されると、前述した手順を再び繰り返し、正弦波エンコーダ４、インバータ２、及びモータ３ａの状態を判断する。前述のトライ回数は、異常検出レベルに応じて、例えば６回／１０分や１２回／１０分を閾値として設けている。これにより、重篤な異常を確実に検出する一方、異常検出に応じてエレベータを即時停止とはせず、複数回調査をトライし、乗客を所望の目的階に移動させることを優先することができる。
【００３２】
一方、手順Ｓ６で異常がないと判断されると、手順Ｓ７に移行し、調査電流導通インバータ制御を終了し、手順Ｓ８で、エレベータ起動制御、すなわち起動補償制御を行う。これは、正弦波エンコーダ４によりモータ３ａの回転角を高精度に検出し、この検出値に基づきモータ３ａのトルク制御を行って、かご８及びつり合いおもり９のアンバランス力を補償するものである。この後、手順Ｓ９として、ブレーキを釈放してエレベータを走行させると共に、トライ回数のリセット、及び最大トライ回数のデータ格納を行う。なお、最大トライ回数のデータを格納するのは、保守時に、ノイズ重複の状況を確認できるようにするためである。
【００３３】
以上説明したように本発明は、回転体の回転によって、プラス及びマイナスの両電圧極性を有し、又は一定のオフセットを有し、かつ互いに９０度の位相差を有する正弦波及び余弦波の２相信号を出力する正弦波エンコーダの異常を検出するエンコーダの異常検出装置において、前記正弦波エンコーダが出力する前記正弦波をｘ軸上、前記余弦波をｙ軸上にベクトル値としてプロットする変換部と、前記ベクトル値が径方向において閾値を逸脱したとき、及び前記ベクトル値が周方向において閾値を逸脱したときの少なくとも一方で異常と判断する比較部とを備えたことを特徴とする。
【００３４】
このような構成によれば、正弦波エンコーダ４の出力信号に印加されるノイズ重複を確実に検出することができ、これによって、装置の信頼性、及び安全性の向上を図ることができる。
【００３５】
また本発明は、電源１に接続され、複数のスイッチング素子２ａで構成されるインバータ２と、このインバータ２に接続される巻上機３のモータ３ａと、このモータ３ａの回転によって、プラス及びマイナスの両電圧極性を有し、又は一定のオフセットを有し、かつ互いに９０度の位相差を有する正弦波及び余弦波の２相信号を出力する正弦波エンコーダ４と、インバータ２及び正弦波エンコーダ４に接続されてインバータ２を介して巻上機３を制御すると共に、正弦波エンコーダ４の異常を検出するエンコーダ異常検出装置を構成した制御装置と、モータ３ａによって駆動される巻上機３のシーブ３ｂに巻き掛けられたロープ７を介して昇降するかご８及びつり合いおもり９と、シーブ３ｂを制動する制動装置とを備えたエレベータ装置において、制御装置に構成した前記エンコーダ異常検出装置は、正弦波エンコーダが出力する正弦波をｘ軸上、余弦波をｙ軸上にベクトル値としてプロットする変換部と、ベクトル値が径方向において閾値を逸脱したとき、及びベクトル値が周方向において閾値を逸脱したときの少なくとも一方で異常と判断する比較部とを備えたことを特徴とする。
【００３６】
このような構成によれば、巻上機３を制御する制御装置に構成したエンコーダ異常検出装置によって、正弦波エンコーダ４の出力信号に印加されるノイズ重複を確実に検出することができ、これによって、エレベータ装置の信頼性、及び安全性の向上を図ることができる。
【００３７】
また本発明は、上述の構成に加えて、制御装置は、制動装置が作動した状態でインバータ２に調査電流導通を行い、正弦波エンコーダ４の異常の有無を判断してエレベータ起動補償制御を行うことを特徴とする。
【００３８】
このような構成によれば、一般にエレベータの起動補償制御は、かご下に配置される荷重検出センサの荷重検出値に基づいて行っているが、荷重検出センサは、かご下の防振ゴムが積載量に応じた撓み量に応じて荷重検出値を出力するものであり、使用環境で防振ゴムの撓み量が変化し、正確な荷重検出が行うことが難しく、ひいては的確なエレベータの起動補償制御も困難であった。しかし、荷重検出センサに代わるものとして、正弦波エンコーダ４の出力信号に基づきエレベータの起動補償制御を行うことにより、正弦波エンコーダ４の出力信号に印加されるノイズ重複を確実に検出することができ、これによって、装置の信頼性、及び安全性の向上を図りながら的確な起動補償を実現することができる。
【００３９】
さらに本発明は、上述の構成に加えて、制御装置は、制動装置が作動した状態でインバータ２に調査電流導通を行い、正弦波エンコーダ４の異常の有無を判断すると共に、調査電流指令とモータ電流検出値を比較し、モータ３ａ及びインバータ２の異常の有無を判断してエレベータ起動補償制御を行うことを特徴とする。
【００４０】
このような構成によれば、インバータ２に微小電流を流す調査電流導通時に、正弦波エンコーダ４の状態確認に留まらず、モータ３ａ、及びインバータ２の状態確認をまとめて行うことができ、制御のプロセスを低減し、応答性の高いエレベータ装置とすることができる。
【符号の説明】
【００４１】
１    電源
２    インバータ
３    巻上機
３ａ  モータ
４    正弦波エンコーダ
５    電流検出器
６    制御基板
７    ロープ
８    かご
９    つり合いおもり
【図１】
2014240817.tif 000003
【図２】
2014240817.tif 000004
【図３】
2014240817.tif 000005
【図４】
2014240817.tif 000006
【図５】
2014240817.tif 000007
【図６】
2014240817.tif 000008